(57)【要約】【課題】簡易な構成で効率的な電力供給を行う。【解決手段】接続ポート２１０に接続された外部接続機器１２０−１が使用する電力のクラスを示す給電クラスが、所定の閾値を超えているかどうかを給電可否判断部２３０が判断し、接続された外部装置の給電クラスが、所定の閾値を超えていないと判断した場合、給電制御部２２０が給電ＨＵＢ１００から供給された電力を用いて外部接続機器１２０−１へ給電を行う。【選択図】図４
2010245929.tif 000002
【特許請求の範囲】
【請求項１】
給電装置からの給電によって動作する電話機であって、
当該電話機と、当該電話機からの給電によって動作する外部装置とを接続する接続ポートと、
前記接続ポートを介して、該接続ポートに接続された前記外部装置へ給電する給電制御部と、
前記接続ポートに接続された外部装置が使用する電力のクラスを示す給電クラスが、所定の閾値を超えているかどうかを判断する給電可否判断部とを有し、
前記給電制御部は、前記給電可否判断部が前記接続ポートに接続された外部装置の給電クラスが、所定の閾値を超えていると判断した場合、該外部装置への給電を行わない電話機。
【請求項２】
請求項１に記載の電話機において、
前記給電可否判断部は、前記接続ポートに接続された外部装置の給電クラスが、前記給電装置から供給される電力から当該電話機が使用する電力を差し引いた電力に値するクラスを超えているかどうかを判断し、
前記給電制御部は、前記給電可否判断部が、前記接続ポートに接続された外部装置の給電クラスが、前記給電装置から供給される電力から当該電話機が使用する電力を差し引いた電力に値するクラスを超えていると判断した場合、該外部装置への給電を行わないことを特徴とする電話機。
【請求項３】
請求項１または請求項２に記載の電話機において、
ＩＥＥＥ８０２．３ａｆの規格で動作する前記給電装置からの給電によって、ＩＥＥＥ８０２．３ａｆの規格で動作し、
前記給電可否判断部は、ＩＥＥＥ８０２．３ａｆの規格における認証によって、前記外部装置から前記給電クラスを検出することを特徴とする電話機。
【請求項４】
請求項１乃至３のいずれか１項に記載の電話機において、
ＩＰ（Ｉｎｔｅｒｎｅｔ  Ｐｒｏｔｏｃｏｌ）電話機であることを特徴とする電話機。
【請求項５】
請求項１乃至４のいずれか１項に記載の電話機において、
前記接続ポートは、８Ｐ８Ｃモジュラーコネクタであることを特徴とする電話機。
【請求項６】
給電装置からの給電によって動作する電話機から給電を行う給電方法であって、
当該電話機に設けられた接続ポートに接続された外部装置が使用する電力のクラスを示す給電クラスが、所定の閾値を超えているかどうかを判断する処理と、
前記接続ポートに接続された外部装置の給電クラスが、所定の閾値を超えていないと判断した場合、該外部装置へ給電を行う処理とを有する給電方法。
【請求項７】
請求項６に記載された給電方法において、
前記接続ポートに接続された外部装置の給電クラスが、前記給電装置から供給される電力から当該電話機が使用する電力を差し引いた電力に値するクラスを超えているかどうかを判断する処理と、
前記接続ポートに接続された外部装置の給電クラスが、前記給電装置から供給される電力から当該電話機が使用する電力を差し引いた電力に値するクラスを超えていないと判断した場合、該外部装置へ給電を行う処理とを有することを特徴とする給電方法。
【請求項８】
給電装置からの給電によって動作する電話機に、
当該電話機に設けられた接続ポートに接続された外部装置が使用する電力のクラスを示す給電クラスが、所定の閾値を超えているかどうかを判断する手順と、
前記接続ポートに接続された外部装置の給電クラスが、所定の閾値を超えていないと判断した場合、該外部装置へ給電を行う手順とを実行させるためのプログラム。
【請求項９】
請求項８に記載されたプログラムにおいて、
前記接続ポートに接続された外部装置の給電クラスが、前記給電装置から供給される電力から当該電話機が使用する電力を差し引いた電力に値するクラスを超えているかどうかを判断する手順と、
前記接続ポートに接続された外部装置の給電クラスが、前記給電装置から供給される電力から当該電話機が使用する電力を差し引いた電力に値するクラスを超えていないと判断した場合、該外部装置へ給電を行う手順とを実行させるためのプログラム。
【発明の詳細な説明】
【技術分野】
【０００１】
本発明は、電話機、電話機を用いた給電方法およびプログラムに関し、特にＩＰ（Ｉｎｔｅｒｎｅｔ  Ｐｒｏｔｏｃｏｌ）のプロトコルを使用する電話機、電話機を用いた給電方法およびプログラムに関する。
【背景技術】
【０００２】
近年、非シールドより対線（ＵＴＰ）でデータ伝送と同時に電源を供給する方式（規格：ＩＥＥＥ８０２．３ａｆ）が普及している。
【０００３】
この規格を用いることにより、例えば、ＬＡＮ（Ｌｏｃａｌ  Ａｒｅａ  Ｎｅｔｗｏｒｋ）ケーブルを用いて２つの装置間を接続するだけで、当該装置間にてデータの送受信と電源の供給とが同時に実現可能となる。
【０００４】
図７は、ＩＥＥＥ８０２．３ａｆを用いて給電を行う一般的な接続形態の一例を示す図である。
【０００５】
図７に示した形態は、給電ＨＵＢ（ハブ）１０００と、ＩＰ（Ｉｎｔｅｒｎｅｔ  Ｐｒｏｔｏｃｏｌ）電話機１０１０−１〜１０１０−３と、外部接続機器１０２０−１〜１０２０−３とから構成されている。
【０００６】
給電ＨＵＢ１０００は、複数のポート１００１を有し、ポート１００１からＩＰ電話機１０１０−１〜１０１０−３および外部接続機器１０２０−１〜１０２０−３へ給電を行う給電装置である。ここでの給電方法は、ＩＥＥＥ８０２．３ａｆの規格に基づくものであり、ポート１００１とＩＰ電話機１０１０−１〜１０１０−３、外部接続機器１０２０−１〜１０２０−３とを接続するケーブルに含まれる信号線のうち、２対の信号線に所定の電圧を印加することにより行われる。ポート１００１は、ＬＡＮ（Ｌｏｃａｌ  Ａｒｅａ  Ｎｅｔｗｏｒｋ）ケーブルが接続可能である。また、給電ＨＵＢ１０００は、ＩＥＥＥ８０２．３ａｆの規格で動作可能であり、データの送受信を行うＬＡＮケーブル内の２対のペア線を用いて、ＩＰ電話機１０１０−１〜１０１０−３へ電圧を印加することが可能である。
【０００７】
ＩＰ電話機１０１０−１〜１０１０−３は、給電ＨＵＢ１０００と接続され、給電ＨＵＢ１０００のポート１００１から所定の電力が供給（給電）される電話機である。また、ＩＰ電話機１０１０−１〜１０１０−３は、ＩＥＥＥ８０２．３ａｆの規格で動作可能であり、データの送受信を行うＬＡＮケーブル内の２対のペア線を用いて、給電ＨＵＢ１０００から所定の電圧が印加される。
【０００８】
外部接続機器１０２０−１〜１０２０−３は、給電ＨＵＢ１０００と接続され、給電ＨＵＢ１０００のポート１００１から所定の電力が供給（給電）される外部装置である。また、外部接続機器１０２０−１〜１０２０−３は、ＩＥＥＥ８０２．３ａｆの規格で動作可能であり、データの送受信を行うＬＡＮケーブル内の２対のペア線を用いて、給電ＨＵＢ１０００から所定の電圧が印加される。この外部接続機器１０２０−１〜１０２０−３は、ＩＰ電話機であっても良い。
【０００９】
なお、ＩＰ電話機１０１０−１〜１０１０−３の台数、および外部接続機器１０２０−１〜１０２０−３の台数は、３台に限らず、任意で良い。
【００１０】
しかしながら、図７に示した形態においては、同じ配置場所に給電ＨＵＢ１０００とＩＰ電話機１０１０−１〜１０１０−３および外部接続機器１０２０−１〜１０２０−３とを接続する場合、給電ＨＵＢ１０００からケーブルの配線をＩＰ電話機１０１０−１〜１０１０−３と外部接続機器１０２０−１〜１０２０−３との台数分、準備する必要がある。そのため、配置状況によっては、給電ＨＵＢ１０００のポート１００１の数の不足が発生してしまう。
【００１１】
そこで、ＡＣ（Ａｌｔｅｒｎａｔｉｎｇ  Ｃｕｒｒｅｎｔ：交流）電源またはＤＣ（Ｄｉｒｅｃｔ  Ｃｕｒｒｅｎｔ：直流）電源からの給電によって動作する装置が、当該装置と接続された装置へ給電を行い、その給電に足りない分を他の装置から受電する技術が考えられている（例えば、特許文献１参照。）。
【先行技術文献】
【特許文献】
【００１２】
【特許文献１】特開２００７−８８８０９号公報
【発明の概要】
【発明が解決しようとする課題】
【００１３】
しかしながら、特許文献１に記載されたような技術においては、ＡＣ電源またはＤＣ電源からの給電を前提としており、それらの電源がない場合は電源供給することができないという問題点がある。また、当該装置と接続された装置への給電に不足がある場合は、他の装置からの受電が必要となり、当該他の装置の接続が必須の構成となっている。
【００１４】
本発明の目的は、上述した課題を解決する電話機、電話機を用いた給電方法およびプログラムを提供することである。
【課題を解決するための手段】
【００１５】
本発明の電話機は、
給電装置からの給電によって動作する電話機であって、
当該電話機と、当該電話機からの給電によって動作する外部装置とを接続する接続ポートと、
前記接続ポートを介して、該接続ポートに接続された前記外部装置へ給電する給電制御部と、
前記接続ポートに接続された外部装置が使用する電力のクラスを示す給電クラスが、所定の閾値を超えているかどうかを判断する給電可否判断部とを有し、
前記給電制御部は、前記給電可否判断部が前記接続ポートに接続された外部装置の給電クラスが、所定の閾値を超えていると判断した場合、該外部装置への給電を行わない。
【００１６】
また、本発明の給電方法は、
給電装置からの給電によって動作する電話機から給電を行う給電方法であって、
当該電話機に設けられた接続ポートに接続された外部装置が使用する電力のクラスを示す給電クラスが、所定の閾値を超えているかどうかを判断する処理と、
前記接続ポートに接続された外部装置の給電クラスが、所定の閾値を超えていないと判断した場合、該外部装置へ給電を行う処理とを有する。
【００１７】
また、プログラムは、
給電装置からの給電によって動作する電話機に実行させるためのプログラムであって、
当該電話機に設けられた接続ポートに接続された外部装置が使用する電力のクラスを示す給電クラスが、所定の閾値を超えているかどうかを判断する手順と、
前記接続ポートに接続された外部装置の給電クラスが、所定の閾値を超えていないと判断した場合、該外部装置へ給電を行う手順とを実行させる。
【発明の効果】
【００１８】
以上説明したように本発明においては、接続ポートに接続された外部装置が使用する電力のクラスを示す給電クラスが、所定の閾値を超えているかどうかを判断し、接続された外部装置の給電クラスが、所定の閾値を超えていないと判断した場合、給電装置から供給された電力を用いて外部装置へ給電を行う構成としたため、簡易な構成で効率的な電力供給を行うことができる。
【図面の簡単な説明】
【００１９】
【図１】本発明の電話機が接続されたシステムの実施の一形態を示す図である。
【図２】図１に示した形態において、ＩＰ電話機に外部接続機器が接続された場合の実施の一形態を示す図である。
【図３】図１に示した形態において、ＩＰ電話機と外部接続機器とがそれぞれ１対複数で接続された場合の実施の一形態を示す図である。
【図４】図１に示したＩＰ電話機の内部構成の一例を示す図である。
【図５】図１に示したＩＰ電話機のさらなる詳細な内部構成の一例を示す図である。
【図６】本形態における給電方法を説明するためのフローチャートである。
【図７】ＩＥＥＥ８０２．３ａｆを用いて給電を行う一般的な接続形態の一例を示す図である。
【発明を実施するための形態】
【００２０】
以下に、本発明の実施の形態について図面を参照して説明する。
【００２１】
図１は、本発明の電話機が接続されたシステムの実施の一形態を示す図である。
【００２２】
本形態は図１に示すように、給電ＨＵＢ（ハブ）１００と、ＩＰ（Ｉｎｔｅｒｎｅｔ  Ｐｒｏｔｏｃｏｌ）電話機１１０−１〜１１０−３とから構成されている。
【００２３】
給電ＨＵＢ１００は、複数のポート１０１を有し、ポート１０１からＩＰ電話機１１０−１〜１１０−３へ給電を行う給電装置である。ここでの給電方法は、ＩＥＥＥ８０２．３ａｆの規格に基づくものであり、ポート１０１とＩＰ電話機１１０−１〜１１０−３とを接続するケーブルに含まれる信号線のうち、２対の信号線に所定の電圧を印加することにより行われる。ポート１０１には、ＬＡＮ（Ｌｏｃａｌ  Ａｒｅａ  Ｎｅｔｗｏｒｋ）ケーブルが接続可能である。また、給電ＨＵＢ１００は、ＩＥＥＥ８０２．３ａｆの規格で動作可能であり、データの送受信を行うＬＡＮケーブル内の２対のペア線を用いて、ＩＰ電話機１１０−１〜１１０−３へ電圧を印加することが可能である。
【００２４】
ＩＰ電話機１１０−１〜１１０−３は、給電ＨＵＢ１００と接続され、給電ＨＵＢ１００のポート１０１から所定の電力が供給（給電）される電話機（ＰＤ）である。また、ＩＰ電話機１１０−１〜１１０−３は、ＩＥＥＥ８０２．３ａｆの規格で動作可能であり、データの送受信を行うＬＡＮケーブル内の２対のペア線を用いて、給電ＨＵＢ１００から所定の電圧が印加される。また、ＩＰ電話機１１０−１〜１１０−３は、外部に接続機器を接続した場合、接続した接続機器へ電力を供給する電話機（ＰＳＥ）である。
【００２５】
図２は、図１に示した形態において、ＩＰ電話機１１０−１〜１１０−３に外部接続機器が接続された場合の実施の一形態を示す図である。
【００２６】
図２に示すように、ＩＰ電話機１１０−１〜１１０−３は、外部接続機器１２０−１〜１２０−３がそれぞれ接続された場合、外部接続機器１２０−１〜１２０−３へ所定の電力をそれぞれ供給（給電）する。また、ＩＰ電話機１１０−１〜１１０−３は、ＬＡＮケーブル内の２対のペア線を用いて、外部接続機器１２０−１〜１２０−３へ所定の電圧を印加する。
【００２７】
外部接続機器１２０−１〜１２０−３は、ＩＰ電話機１１０−１〜１１０−３からそれぞれ供給された電力を用いて動作する外部装置である。また、外部接続機器１２０−１〜１２０−３は、ＩＥＥＥ８０２．３ａｆの規格で動作可能であり、データの送受信を行うＬＡＮケーブル内の２対のペア線を用いて、ＩＰ電話機１１０−１〜１１０−３それぞれから所定の電圧が印加される。また、外部接続機器１２０−１〜１２０−３は、ＩＰ電話機であっても良い。
【００２８】
なお、ＩＰ電話機１１０−１〜１１０−３の台数、および外部接続機器１２０−１〜１２０−３の台数は、３台に限らず、任意で良い。
【００２９】
また、ＩＰ電話機１１０−１〜１１０−３と外部接続機器１２０−１〜１２０−３とが１対１で接続されているものに限らず、１対複数で接続されているものであってもかまわない。
【００３０】
図３は、図１に示した形態において、ＩＰ電話機１１０−１〜１１０−３と外部接続機器とがそれぞれ１対複数で接続された場合の実施の一形態を示す図である。
【００３１】
図３に示すように、ＩＰ電話機１１０−１と外部接続機器１２０−１，１２０−４とが接続されている。また、ＩＰ電話機１１０−２と外部接続機器１２０−２，１２０−５とが接続されている。また、ＩＰ電話機１１０−３と外部接続機器１２０−３，１２０−６とが接続されている。
【００３２】
図４は、図１に示したＩＰ電話機１１０−１の内部構成の一例を示す図である。なお、図１に示したＩＰ電話機１１０−２〜１１０−３の内部構成は、ＩＰ電話機１１０−１の内部構成と同じである。
【００３３】
図１に示したＩＰ電話機１１０−１には図４に示すように、接続ポート２１０と、給電制御部２２０と、給電可否判断部２３０とが設けられている。
【００３４】
接続ポート２１０は、ＩＰ電話機１１０−１と外部接続機器１２０−１とを接続するケーブルが接続される接続ポートである。また、接続ポート２１０は、８Ｐ８Ｃモジュラージャックであっても良い。また、接続ポート２１０は、複数設けられているものであっても良い。
【００３５】
給電制御部２２０は、給電ＨＵＢ１００から供給された電力の電力量とＩＰ電話機１１０−１が内部で使用する電力の電力量とを示す情報を給電可否判断部２３０へ出力する。また、給電制御部２２０は、給電ＨＵＢ１００から供給された電力からＩＰ電話機１１０−１内（装置内）で使用する電力と接続ポート２１０を介して外部接続機器１２０−１へ供給する電力とを制御する。このとき、給電制御部２２０は、給電可否判断部２３０における判断結果に基づいて、外部接続機器１２０−１への給電を制御する。なお、接続ポートが複数設けられている場合は、それぞれの接続ポートを介して接続されている外部接続機器それぞれについて同様の制御を行う。
【００３６】
給電可否判断部２３０は、外部接続機器１２０−１の認証により、外部接続機器１２０−１の給電クラスを検出する。また、給電可否判断部２３０は、検出した外部接続機器１２０−１の給電クラスが、所定の閾値を超えているかどうかを判断する。そして、給電可否判断部２３０は、検出した外部接続機器１２０−１の給電クラスが、所定の閾値を超えていると判断した場合、外部接続機器１２０−１への給電が不可能である旨を給電制御部２２０へ通知する。また、給電可否判断部２３０は、検出した外部接続機器１２０−１の給電クラスが、所定の閾値を超えていないと判断した場合、外部接続機器１２０−１への給電が可能である旨を給電制御部２２０へ通知する。
【００３７】
なお、この給電クラスは、ＩＥＥＥ８０２．３ａｆの規格で規定されている、外部接続機器１２０−１が使用する電力のクラスを示すものである。
【００３８】
また、この所定の閾値とは、あらかじめ設定された給電クラスであっても良いし、給電制御部２２０から出力された情報に示されている給電ＨＵＢ１００から供給される電力からＩＰ電話機１１０−１が内部で使用する電力を差し引いた電力に値するクラスであっても良い。また、接続ポートが複数設けられている場合は、それぞれの接続ポートを介して接続されている外部接続機器それぞれへ供給する電力をも差し引いた電力に値するクラスであっても良い。つまり、ＩＰ電話機１１０−１が外部へ供給できる電力に値するクラスであれば良い。
【００３９】
図５は、図１に示したＩＰ電話機１１０−１のさらなる詳細な内部構成の一例を示す図である。なお、図５には図１に示したＩＰ電話機１１０−１を構成する構成要素のうち、本発明に係わる構成要素のみを示した。なお、図１に示したＩＰ電話機１１０−２〜１１０−３のさらなる詳細な内部構成は、図４と同様にＩＰ電話機１１０−１の内部構成と同じである。
【００４０】
図１に示したＩＰ電話機１１０−１には図５に示すように、接続ポート２１０と、給電制御部２２０と、給電可否判断部２３０と、電源ポート２４０と、ＬＡＮ（Ｌｏｃａｌ  Ａｒｅａ  Ｎｅｔｗｏｒｋ）トランス２５０と、電源回路２６０とが設けられている。
【００４１】
接続ポート２１０、給電制御部２２０および給電可否判断部２３０は、図４を用いて説明した通りである。
【００４２】
なお、給電可否判断部２３０には図５に示すように、認証部２３１と、算出部２３２とが設けられている。
【００４３】
認証部２３１は、給電制御部２２０を介して、外部接続機器１２０−１の認証により、外部接続機器１２０−１の給電クラスを検出する。また、認証部２３１は、検出した給電クラスを算出部２３２へ出力する。
【００４４】
算出部２３２は、認証部２３１から出力された給電クラスと所定の閾値とを比較する。この比較は、外部接続機器１２０−１の給電クラスが、所定の閾値を超えているかどうかを判断するものである。そして、算出部２３２は、外部接続機器１２０−１の給電クラスが、所定の閾値を超えていると判断した場合、外部接続機器１２０−１への給電が不可能である旨を給電制御部２２０へ通知する。また、算出部２３２は、外部接続機器１２０−１の給電クラスが、所定の閾値を超えていないと判断した場合、外部接続機器１２０−１への給電が可能である旨を給電制御部２２０へ通知する。ここでの所定の閾値については、上述した通りである。
【００４５】
また、電源ポート２４０は、給電ＨＵＢ１００とＩＰ電話機１１０−１とを接続するケーブルが接続される給電ポートである。ここでは、ＬＡＮケーブルが接続される。また、電源ポート２４０は、８Ｐ８Ｃモジュラージャックであっても良い。
【００４６】
ＬＡＮトランス２５０は、電源ポート２４０に印加された電圧を、接続ポート２１０から外部接続機器１２０−１へ印加する所定の電圧へ変圧する変圧器である。ここで、所定の電圧とは、外部接続機器１２０−１の動作電圧に応じてあらかじめ設定されたものである。
【００４７】
電源回路２６０は、ＩＰ電話機１１０−１を動作させる電源回路である。
【００４８】
以下に、本形態における給電方法について説明する。ここでは、ＩＰ電話機１１０−１における給電方法を例に挙げて説明する。
【００４９】
図６は、本形態における給電方法を説明するためのフローチャートである。
【００５０】
まず、ＩＰ電話機１１０−１から電源ポート２４０を介して給電ＨＵＢ１００へ給電クラスが通知されることにより、当該給電クラスに応じた電力が給電ＨＵＢ１００からＩＰ電話機１１０−１の電源ポート２４０へ供給（受電）される（ステップＳ１）。
【００５１】
その後、接続ポート２１０に外部接続機器１２０−１が接続されると、外部接続機器１２０−１の認証により、外部接続機器１２０−１の給電クラスが給電制御部２２０を介して認証部２３１にて検出される（ステップＳ２）。この認証方法は、ＩＥＥＥ８０２．３ａｆの規格で行われる一般的な方法である。
【００５２】
検出された給電クラスは、認証部２３１から算出部２３２へ出力される。
【００５３】
すると、算出部２３２にて、認証部２３１から出力された給電クラスと所定の閾値とが比較される（ステップＳ３）。この所定の閾値については、上述した通りである。
【００５４】
給電クラスが、所定の閾値を超えていると算出部２３２にて判断された場合、外部接続機器１２０−１への給電が不可能である旨が、算出部２３２から給電制御部２２０へ通知される。
【００５５】
そして、給電制御部２２０にて、外部接続機器１２０−１への給電が不可能である旨が算出部２３２から通知されると、給電制御部２２０から接続ポート２１０を介して外部接続機器１２０−１への給電は行われない（ステップＳ４）。
【００５６】
一方、給電クラスが、所定の閾値を超えていないと算出部２３２にて判断された場合、外部接続機器１２０−１への給電が可能である旨が、算出部２３２から給電制御部２２０へ通知される。
【００５７】
そして、給電制御部２２０にて、外部接続機器１２０−１への給電が可能である旨が算出部２３２から通知されると、給電制御部２２０から接続ポート２１０を介して外部接続機器１２０−１への給電が行われる（ステップＳ５）。
【００５８】
なお、上述したＩＰ電話機１１０−１における給電方法は、ＩＰ電話機１１０−２〜１１０−３においても実現可能であることは言うまでもない。
【００５９】
また、上述したＩＰ電話機１１０−１〜１１０−３の処理は、目的に応じて作製された論理回路で行うようにしても良い。また、処理内容を手順として記述したプログラムをＩＰ電話機１１０−１〜１１０−３にて読取可能な記録媒体に記録し、この記録媒体に記録されたプログラムをＩＰ電話機１１０−１〜１１０−３に読み込ませ、実行するものであっても良い。ＩＰ電話機１１０−１〜１１０−３にて読取可能な記録媒体とは、フロッピーディスク（登録商標）、光磁気ディスク、ＤＶＤ、ＣＤなどの移設可能な記録媒体の他、ＩＰ電話機１１０−１〜１１０−３に内蔵されたＲＯＭ、ＲＡＭ等のメモリやＨＤＤ等を指す。この記録媒体に記録されたプログラムは、ＩＰ電話機１１０−１〜１１０−３内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【００６０】
このように、給電ＨＵＢ１００から供給された電力のうち余剰の電力を他の外部接続機器へ供給することにより、給電ＨＵＢ１００から供給された電力を有効に活用することができる。
【００６１】
また、ＬＡＮケーブルを統一することによる配線の簡素化が可能となる。また、給電ＨＵＢ１００のポート数に対して１対１で使用する必要がなくなり、給電電力を最大限に使用することができるため、過剰な設備の追加が無くなり、効率のよい投資および電話機の配置計画を提案することが可能となる。
【符号の説明】
【００６２】
１００    給電ＨＵＢ
１０１    ポート
１１０−１〜１１０−３    ＩＰ電話機
１２０−１〜１２０−６    外部接続機器
２１０    接続ポート
２２０    給電制御部
２３０    給電可否判断部
２３１    認証部
２３２    算出部
２４０    電源ポート
２５０    ＬＡＮトランス
２６０    電源回路
【図１】
2010245929.tif 000003
【図２】
2010245929.tif 000004
【図３】
2010245929.tif 000005
【図４】
2010245929.tif 000006
【図５】
2010245929.tif 000007
【図６】
2010245929.tif 000008
【図７】
2010245929.tif 000009